(57)【要約】【課題】  セキュリティーやプライバシーを十分に確保可能な出力制御装置を得る。【解決手段】  入力される指示に応じて、自装置の動作モードを設定する動作モード設定部３２と、表示部１６による映像出力の出力度を制御する表示制御部３３と、第２および第３音声出力部（１９・２０）による音声出力の出力度を制御する音声制御部３４とを備え、動作モード設定部３２により動作モードが第１動作モードに設定された場合、表示制御部３３は、動作モードが第２動作モードに設定された場合よりも映像出力の出力度を低下させ、音声制御部３４は、動作モードが第２動作モードに設定された場合よりも音声出力の出力度を低下させる。【選択図】  図１
2006303732.tif 000002
【特許請求の範囲】
【請求項１】
入力される指示に応じて、自装置の動作モードを設定する動作モード設定手段と、
表示部による映像出力の出力度を制御する表示制御手段と、
音声出力部による音声出力の出力度を制御する音声制御手段とを備え、
前記動作モード設定手段により動作モードが第１動作モードに設定された場合、前記表示制御手段は、動作モードが第２動作モードに設定された場合よりも前記映像出力の出力度を低下させ、前記音声制御手段は、動作モードが第２動作モードに設定された場合よりも前記音声出力の出力度を低下させることを特徴とする出力制御装置。
【請求項２】
前記表示制御手段は、前記表示部における視野角を制御する視野角制御手段を備えており、
前記視野角制御手段は、動作モードが第１動作モードに設定されている場合には、動作モードが第２動作モードに設定された場合よりも前記視野角を狭くすることを特徴とする請求項１記載の出力制御装置。
【請求項３】
前記表示制御手段は、前記表示部により出力される映像の輝度を制御する輝度制御手段を備えており、
前記輝度制御手段は、動作モードが第１動作モードに設定されている場合には、動作モードが第２動作モードに設定された場合よりも前記輝度を低くすることを特徴とする請求項１記載の出力制御装置。
【請求項４】
前記表示制御手段は、前記表示部により出力される映像のコントラストを制御するコントラスト制御手段を備えており、
前記コントラスト制御手段は、動作モードが第１動作モードに設定されている場合には、動作モードが第２動作モードに設定された場合よりも、前記コントラストを低くすることを特徴とする請求項１記載の出力制御装置。
【請求項５】
他の装置から送られてくるデータを受信する受信手段を備えており、
前記表示制御手段は、動作モードが第１動作モードに設定されている場合であって、かつ、前記受信手段によりデータを受信した場合には、前記他の装置を特定する内容および／または前記他の装置の利用者を特定する内容についての、前記表示部による出力を停止させることを特徴とする請求項２から４の何れか１項に記載の出力制御装置。
【請求項６】
前記音声制御手段は、前記音声出力部により出力される音声の音量を制御する音量制御手段を備えており、
前記音量制御手段は、動作モードが第１動作モードに設定されている場合には、動作モードが第２動作モードに設定された場合よりも、前記音声の音量を小さくすることを特徴とする請求項１から５の何れか１項に記載の出力制御装置。
【請求項７】
前記音声制御手段は、前記音声出力部による音声出力を停止する音声出力停止手段を備えており、
前記音声出力停止手段は、動作モードが第１動作モードに設定されている場合には、前記音声の出力を停止することを特徴とする請求項１から５の何れか１項に記載の出力制御装置。
【請求項８】
イヤホンと接続可能な音声出力用接続手段を備えており、
前記音声出力部は、スピーカであって、
前記動作モードが第１動作モードに設定されている場合であって、かつ、前記イヤホンが前記接続手段に接続されている場合、前記音声制御手段は、前記音声出力用接続手段を介して、前記イヤホンから音声出力を行わせることを特徴とする請求項６または７記載の出力制御装置。
【請求項９】
前記音声出力部は、スピーカであって、
自装置は、さらにイヤホンを備えており、
前記動作モードが第１動作モードに設定されている場合、前記音声制御手段は、前記イヤホンから音声出力を行わせることを特徴とする請求項６または７記載の出力制御装置。
【請求項１０】
前記音声制御手段は、前記音声出力部により出力される音声の指向性の強弱を制御する指向性制御手段を備えており、
前記指向性制御手段は、動作モードが第１動作モードに設定されている場合には、動作モードが第２動作モードに設定された場合よりも、前記指向性を強くすることを特徴とする請求項１から５の何れか１項に記載の出力制御装置。
【請求項１１】
前記音声制御手段は、前記音声出力部からサラウンド状態で音声出力を行わせるか否かを制御するサラウンド制御手段を備えており、
前記サラウンド制御手段は、動作モードが第１動作モードに設定されている場合には、前記音声出力部からサラウンド状態で音声出力を行わせないことを特徴とする請求項１から５の何れか１項に記載の出力制御装置。
【請求項１２】
前記表示部は、矩形状の表示画面を備えており、
前記表示画面の法線と前記表示画面の一辺とに垂直となる方向であって、互いに反対方向となる方向を、第１方向と第２方向とすると、
前記視野角制御手段は、前記第１方向および第２方向に関する視野角を制御するものであって、
前記音声制御手段は、出力する音声の指向性の強弱を制御する指向性制御手段を備えており、
前記指向性制御手段は、動作モードが第１動作モードに設定されている場合には、動作モードが第２動作モードに設定された場合よりも、前記第１方向および第２方向に関する指向性を弱めることを特徴とする請求項２記載の出力制御装置。
【請求項１３】
自装置の電源が投入された場合、前記動作モード設定手段は、自装置の動作モードを前記第１の動作モードに設定することを特徴とする請求項１から１２の何れか１項に記載の出力制御装置。
【請求項１４】
請求項１から１３の何れか１項に記載の出力制御装置と、
上記表示部と、
上記音声出力部とを備えたことを特徴とする映像音声再生装置。
【請求項１５】
表示部による映像出力および音声出力部による音声出力を制御する出力制御装置の動作モードを設定する第１ステップと、
前記動作モードが第１動作モードに設定された場合には、前記動作モードが第２動作モードに設定された場合よりも、前記映像出力の出力度を低下させ、かつ、前記音声出力の出力度を低下させる第２ステップとを備えることを特徴とする出力制御方法。
【請求項１６】
請求項１から１３の何れか１項に記載の出力制御装置の各手段としてコンピュータを機能させるためのプログラム。
【請求項１７】
請求項１６記載のプログラムを記録したコンピュータ読み取り可能な記録媒体。
【発明の詳細な説明】
【技術分野】
【０００１】
本発明は、映像および音声の出力を制御する出力制御装置、映像音声再生装置、出力制御方法、プログラム、および、プログラムを記録したコンピュータ読み取り可能な記録媒体に関するものである。
【背景技術】
【０００２】
従来から、液晶ディスプレイ（ＬＣＤ）等の表示装置を備えた端末装置として、例えば、携帯型電話機やＰＤＡ（Personal Digital Assistant）等の携帯型電子機器が知られている。
【０００３】
このような携帯型電子機器を、電車やバスの車内などにおいて混雑した状況で利用すると、上記携帯型電子機器の表示画面に表示された内容が周囲の人に覗き見されるおそれがある。とりわけ、電子メールの作成および閲覧を行う場合、その内容が周囲の人に覗き見されることはプライバシー確保の点で好ましくない。
【０００４】
さらに、近年、携帯型電子機器として、電子決済を行うための機能を備えた機器も開発されている。このような機能を備えた機器においては、機器の使用時にクレジットカードの番号や暗証番号といった情報（以下、個人情報）の入力を表示画面を介して行う必要がある。このような機器では、上記個人情報が周囲の人に覗き見されて、該情報を他人に利用されると、ユーザは多大な損失を被ってしまう。
【０００５】
そこで、セキュリティーやプライバシーを確保するため、ＬＣＤの視野角を制御する視野角制御手段を備えた携帯型電子機器が提案されている（例えば、特許文献１〜３参照）。このような携帯型電子機器では、通常の広視野角モードと、視野角の狭い狭視野角モードとの何れか一方から他方に切り替え可能となっている。ここで、狭視野角モードとは、図１３にも示すとおり、広視野角モードの場合よりも、視野角を狭くするモードである。なお、図１３は、表示画面を正面から見た場合における、視野角とコントラストとの関係を示している。
【０００６】
図１４は、上記視野角制御手段を備えた携帯型電子機器の一例である携帯型電話機の斜視図である。また、図１５は、図１４の携帯型電話機の概略構成を示した機能ブロック図である。
【０００７】
図１５に示すとおり、携帯型電話機８１は、アンテナ８２、無線処理部８３、制御部８４、第１記憶部８６、第２記憶部８７、表示画面を備えた表示部８７、マイクを備えた音声入力部８８、イヤホンを備えた第１音声出力部８９、および、スピーカを備えた第２音声出力部９０、スピーカを備えた第３音声出力部９１、および操作部９２を備えている。また、上記制御部８４は、通信制御部９３、表示制御部９４、および音声制御部９５を備えている。
【０００８】
ここで、携帯型電話機８１では、表示制御部９３が、表示部９０による映像出力（映像表示）を制御し、音声制御部９５が、第１〜３音声出力部（８９〜９１）による音声出力を制御している。また、表示制御部９４は視野角制御部９４ａを備え、この視野角制御部９４ａが、上述した視野角制御を行っている。
【０００９】
また、上記特許文献１には、携帯型電子機器が、自機器の状況を物理量として検出する状況検出手段を備え、該状況検出手段による状況検出結果に応じて、表示部の光量や発色を制御する構成、あるいは、音声出力部の種類または音量を制御する構成等も開示されている。この構成により、セキュリティーやプライバシーの確保を図っている。
【００１０】
さらに、近年、ユーザの利便性を考慮し、情報を表示部に表示すると共に、スピーカから該情報の内容を音声として出力する構成の携帯型電話機も開発されている。
【００１１】
また、出力する音声の指向性を制御すること等により、音声の可聴範囲を制御するスピーカも知られている（例えば、特許文献４〜９）。
【特許文献１】特開２００５−１２２９７号公報（平成１７年１月１３日公開）
【特許文献２】特開２００４−６２０９４号公報（平成１６年２月２６日公開）
【特許文献３】特開２００４−２３３５２７号公報（平成１６年８月１９日公開）
【特許文献４】特開２００１−２５０８４号公報（平成１３年１月２６日公開）
【特許文献５】特開平２−２６５３９８号公報（平成２年１０月３０日公開）
【特許文献６】特開平２−２６５４００号公報（平成２年１０月３０日公開）
【特許文献７】特開平４−１５１９９８号公報（平成４年５月２５日公開）
【特許文献８】特開平４−２６０３００号公報（平成４年９月１６日公開）
【特許文献９】特開２００４−１４７３１１号公報（平成１６年５月２０日公開）
【発明の開示】
【発明が解決しようとする課題】
【００１２】
しかしながら、表示部に表示した情報を音声として出力する構成の携帯型電子機器においては、入力した個人情報や受信した電子メールの内容等が、周囲の人が容易に聞き取ることができる状態で読み上げられてしまうおそれがある。このため、上記構成の携帯型電子機器では、単に、視野角を制御したり、表示部の光量や発色を制御するだけでは、セキュリティーやプライバシーの確保を十分に行うことができない。
【００１３】
本発明は、上記の問題点に鑑みてなされたものであり、その目的は、セキュリティーやプライバシーを十分に確保可能な出力制御装置、映像音声再生装置、出力制御方法、プログラム、および、プログラムを記録したコンピュータ読み取り可能な記録媒体を提供することにある。
【課題を解決するための手段】
【００１４】
本発明に係る出力制御装置は、上記の課題を解決するために、入力される指示に応じて、自装置の動作モードを設定する動作モード設定手段と、表示部による映像出力の出力度を制御する表示制御手段と、音声出力部による音声出力の出力度を制御する音声制御手段とを備え、前記動作モード設定手段により動作モードが第１動作モードに設定された場合、前記表示制御手段は、動作モードが第２動作モードに設定された場合よりも前記映像出力の出力度を低下させ、前記音声制御手段は、動作モードが第２動作モードに設定された場合よりも前記音声出力の出力度を低下させることを特徴としている。
【００１５】
ここで、映像出力の出力度とは、視野角の大小（広狭）、輝度の高低、コントラストの高低といった視認性の良否に影響を与える要素の度合いである。また、映像出力の出力度を低下させるとは、視野角を小さくするとか、輝度を低くするとか、コントラストを低くするといった、表示部における視認性が低下した状態にすることをいう。
【００１６】
また、音声出力の出力度とは、出力する音声の音量の大小、音声の出力の有無、可聴範囲（音声が聞こえる場所の範囲）の大小、サラウンド出力の有無といった聞きやすさに影響を与える要素の度合いである。また、音声出力の出力度を低下させるとは、音量を小さくするとか、音声の出力を停止するとか、可聴範囲を狭めるとか、サラウンド出力を停止するとかといった、音声出力部から出力される音声が聞きにくくなる状態にすることをいう。
【００１７】
上記の構成によれば、動作モード設定手段により、自装置を、入力される指示に応じた動作モードに設定することができる。また、表示制御手段により、表示部による映像出力の出力度を制御することができる。さらに、音声制御手段により、音声出力部による音声出力の出力度を制御することができる。
【００１８】
また、表示制御手段は、動作モードが第１動作モードに設定された場合には、動作モードが第２動作モードに設定された場合よりも、前記映像出力の出力度を低下させる。このため、ユーザの周囲の人にとっては、動作モードが第１動作モードに設定された場合には、第２動作モードに設定された場合よりも、表示部において出力される映像を視認しにくくなる。
【００１９】
さらに、音声制御手段は、動作モードが第１動作モードに設定された場合には、動作モードが第２動作モードに設定された場合よりも、前記音声出力の出力度を低下させる。このため、ユーザの周囲の人にとっては、第１動作モードに設定された場合には、第２動作モードに設定された場合よりも、音声出力装置から出力される音声を聞き取りにくくなる。
【００２０】
それゆえ、第１動作モードを指定する指示を動作モード設定手段に入力して、動作モードを第１動作モードに設定することにより、動作モードが第２動作モードに設定された場合よりも、ユーザの周囲の人にとって、映像の視認および音声の聞き取りが困難な状況とできる。
【００２１】
したがって、動作モードを第１動作モードに設定することにより、映像の出力度のみを低下させる構成の装置や、音声の出力度のみを低下させる構成の装置よりも、セキュリティーを向上させることができると共に、プライバシーの確保が容易となる。それゆえ、セキュリティーやプライバシーを十分に確保可能な出力制御装置を提供することができるという効果を奏する。
【００２２】
また、本発明に係る出力制御装置は、上記の出力制御装置において、前記表示制御手段は、前記表示部における視野角を制御する視野角制御手段を備えており、前記視野角制御手段は、動作モードが第１動作モードに設定されている場合には、動作モードが第２動作モードに設定された場合よりも前記視野角を狭くすることを特徴としている。
【００２３】
上記の構成によれば、視野角制御手段により、動作モードが第１動作モードに設定されている場合には、動作モードが第２動作モードに設定された場合よりも、表示部における視野角が狭められる。つまり、映像出力の出力度を低下させた状態とすることができる。
【００２４】
したがって、表示部において出力される映像を、ユーザの周囲の人が視認しにくくなるという効果を奏する。
【００２５】
また、本発明に係る出力制御装置は、上記の出力制御装置において、前記表示制御手段は、前記表示部により出力される映像の輝度を制御する輝度制御手段を備えており、前記輝度制御手段は、動作モードが第１動作モードに設定されている場合には、動作モードが第２動作モードに設定された場合よりも前記輝度を低くすることを特徴としている。
【００２６】
上記の構成によれば、輝度制御手段により、動作モードが第１動作モードに設定されている場合には、動作モードが第２動作モードに設定された場合よりも、前記表示部により出力される映像の輝度が低く設定される。つまり、映像出力の出力度を低下させた状態とすることができる。
【００２７】
したがって、表示部において出力される映像を、ユーザの周囲の人が視認しにくくなるという効果を奏する。
【００２８】
また、本発明に係る出力制御装置は、上記の出力制御装置において、前記表示制御手段は、前記表示部により出力される映像のコントラストを制御するコントラスト制御手段を備えており、前記コントラスト制御手段は、動作モードが第１動作モードに設定されている場合には、動作モードが第２動作モードに設定された場合よりも、前記コントラストを低くすることを特徴としている。
【００２９】
上記の構成によれば、コントラスト制御手段により、動作モードが第１動作モードに設定されている場合には、動作モードが第２動作モードに設定された場合よりも、前記表示部により出力される映像のコントラストが低く設定される。つまり、映像出力の出力度を低下させた状態とすることができる。
【００３０】
したがって、表示部において出力される映像を、ユーザの周囲の人が視認しにくくなるという効果を奏する。
【００３１】
また、本発明に係る出力制御装置は、上記の出力制御装置において、他の装置から送られてくるデータを受信する受信手段を備えており、前記表示制御手段は、動作モードが第１動作モードに設定されている場合であって、かつ、前記受信手段によりデータを受信した場合には、前記他の装置を特定する内容および／または前記他の装置の利用者を特定する内容についての、前記表示部による出力を停止させることを特徴としている。
【００３２】
上記の構成によれば、受信手段により、他の装置から送られてくるデータを受信できる。また、動作モードが第１動作モードに設定されている場合であって、かつ、前記受信手段によりデータを受信した場合には、表示制御手段により、前記他の装置を特定する内容および／または前記他の装置の利用者を特定する内容を、前記表示部から出力させないようにできる。
【００３３】
したがって、動作モードを第１動作モードに設定しておけば、ユーザの周囲の人に、データ送信元の装置および／またはデータ送信者を特定されないという効果を奏する。
【００３４】
また、本発明に係る出力制御装置は、上記の出力制御装置において、前記音声制御手段は、前記音声出力部により出力される音声の音量を制御する音量制御手段を備えており、前記音量制御手段は、動作モードが第１動作モードに設定されている場合には、動作モードが第２動作モードに設定された場合よりも、前記音声の音量を小さくすることを特徴としている。
【００３５】
上記の構成によれば、音量制御手段により、動作モードが第１動作モードに設定されている場合には、動作モードが第２動作モードに設定された場合よりも、前記音声出力部により出力される音声の音量が小さく設定される。つまり、音声出力の出力度を低下させた状態とすることができる。
【００３６】
したがって、音声出力装置から出力される音声を、ユーザの周囲の人が聞き取りにくくなるという効果を奏する。
【００３７】
また、本発明に係る出力制御装置は、上記の出力制御装置において、前記音声制御手段は、前記音声出力部による音声出力を停止する音声出力停止手段を備えており、前記音声出力停止手段は、動作モードが第１動作モードに設定されている場合には、前記音声の出力を停止することを特徴としている。
【００３８】
上記の構成によれば、音量出力停止手段により、動作モードが第１動作モードに設定されている場合には、音声の出力を停止させることができる。つまり、音声出力の出力度を低下させた状態とすることができる。
【００３９】
したがって、音声出力装置から出力される音声を、ユーザの周囲の人が聞き取れなくなるという効果を奏する。
【００４０】
また、本発明に係る出力制御装置は、上記の出力制御装置において、イヤホンと接続可能な音声出力用接続手段を備えており、前記音声出力部は、スピーカであって、前記動作モードが第１動作モードに設定されている場合であって、かつ、前記イヤホンが前記接続手段に接続されている場合、前記音声制御手段は、前記音声出力用接続手段を介して、前記イヤホンから音声出力を行わせることを特徴としている。
【００４１】
上記の構成によれば、音声出力用接続手段により、自装置をイヤホンと接続することができる。また、動作モードが第１動作モードに設定されている場合であって、かつ、前記イヤホンが前記接続手段に接続されている場合には、前記音声制御手段により、前記音声出力用接続手段を介して、前記イヤホンから音声出力を行わせることができる。
【００４２】
したがって、スピーカから音声の出力が停止している場合、または、スピーカからの出力される音声の音量が小さくて、該音声をユーザが聞き取りにくい場合であっても、ユーザは、イヤホンから上記音声を確実に聞き取ることが可能となるという効果を奏する。
【００４３】
また、本発明に係る出力制御装置は、上記の出力制御装置において、前記音声出力部は、スピーカであって、自装置は、さらにイヤホンを備えており、前記動作モードが第１動作モードに設定されている場合、前記音声制御手段は、前記イヤホンから音声出力を行わせることを特徴としている。
【００４４】
上記の構成によれば、動作モードが第１動作モードに設定されている場合、前記音声制御手段により、前記イヤホンから音声出力を行うことができる。
【００４５】
したがって、スピーカから音声の出力が停止している場合、または、スピーカからの出力される音声の音量が小さくて、該音声をユーザが聞き取りにくい場合であっても、ユーザは、イヤホンから上記音声を確実に聞き取ることが可能となるという効果を奏する。
【００４６】
また、本発明に係る出力制御装置は、上記の出力制御装置において、前記音声制御手段は、前記音声出力部により出力される音声の指向性の強弱を制御する指向性制御手段を備えており、前記指向性制御手段は、動作モードが第１動作モードに設定されている場合には、動作モードが第２動作モードに設定された場合よりも、前記指向性を強くすることを特徴としている。
【００４７】
上記の構成によれば、指向性制御手段により、動作モードが第１動作モードに設定されている場合には、動作モードが第２動作モードに設定された場合よりも、前記音声出力部により出力される音声の指向性が強められる。それゆえ、音声の可聴範囲が狭められる。つまり、音声出力の出力度を低下させた状態とすることができる。
【００４８】
したがって、音声出力装置から出力される音声を、ユーザの周囲の人が聞き取りにくくなるという効果を奏する。
【００４９】
なお、上記指向性の強弱を制御して、可聴範囲の広狭の制御を行う場合には、低い周波数の音声ほど指向性が弱く、高い周波数の音声ほど指向性が強いといった音声（音波）の特性を利用すればよい。例えば、指向性を強くして、可聴範囲を狭める場合には、低い周波数の音声をカットするために、広域通過フィルタを用いたり、あるいは、人の声の周波数帯の音のみを通過させる帯域制限フィルタ等を用いればよい。
【００５０】
また、本発明に係る出力制御装置は、上記の出力制御装置において、前記音声制御手段は、前記音声出力部からサラウンド状態で音声出力を行わせるか否かを制御するサラウンド制御手段を備えており、前記サラウンド制御手段は、動作モードが第１動作モードに設定されている場合には、前記音声出力部からサラウンド状態で音声出力を行わせないことを特徴としている。
【００５１】
上記の構成によれば、サラウンド制御手段により、動作モードが第１動作モードに設定されている場合には、サラウンド状態で音声出力（奥行き感のある音声出力）が行われることがない。つまり、音声出力の出力度を低下させた状態とすることができる。
【００５２】
したがって、音声出力装置から出力される音声を、ユーザの周囲の人が聞き取りにくくなるという効果を奏する。
【００５３】
また、本発明に係る出力制御装置は、上記の出力制御装置において、前記表示部は、矩形状の表示画面を備えており、前記表示画面の法線と前記表示画面の一辺とに垂直となる方向であって、互いに反対方向となる方向を、第１方向と第２方向とすると、前記視野角制御手段は、前記第１方向および第２方向に関する視野角を制御するものであって、前記音声制御手段は、出力する音声の指向性の強弱を制御する指向性制御手段を備えており、前記指向性制御手段は、動作モードが第１動作モードに設定されている場合には、動作モードが第２動作モードに設定された場合よりも、前記第１方向および第２方向に関する指向性を弱めることを特徴としている。
【００５４】
上記の構成によれば、指向性制御手段により、動作モードが第１動作モードに設定されている場合には、動作モードが第２動作モードに設定された場合よりも、前記第１方向および第２方向に関する指向性を弱くすることができる。つまり、前記法線の方向に関する指向性を強めることができる。それゆえ、第１方向および第２方向に関する、音声の可聴範囲が狭められる。つまり、第１方向および第２方向に関する、音声出力の出力度を低下させた状態とすることができる。
【００５５】
したがって、音声出力装置から出力される音声を、ユーザの周囲の人が聞き取りにくくなるという効果を奏する。
【００５６】
さらに、動作モードが第１動作モードに設定されている場合には、動作モードが第２動作モードに設定された場合よりも、前記第１方向および第２方向に関する視野角が狭められるため、視野角と可聴範囲とが連動して、互いに同方向に狭められる。
【００５７】
したがって、視野角と可聴範囲とが同方向に狭められない構成よりも、セキュリティーを向上させることができると共に、プライバシーの確保が容易となる。それゆえ、セキュリティーやプライバシーを十分に確保可能となるという効果を奏する。
【００５８】
また、本発明に係る出力制御装置は、上記の出力制御装置において、自装置の電源が投入された場合、前記動作モード設定手段は、自装置の動作モードを前記第１の動作モードに設定することを特徴としている。
【００５９】
上記の構成によれば、自装置の電源が投入された場合、前記動作モード設定手段により、自装置の動作モードが前記第１の動作モードに設定される。
【００６０】
それゆえ、ユーザは、自装置の電源投入の都度、動作モードを第１動作モードに設定する必要がない。
【００６１】
したがって、ユーザが動作モードを設定することなく、セキュリティーやプライバシーを確保可能な動作モードに装置を設定できるという効果を奏する。
【００６２】
また、本発明に係る映像音声再生装置は、上記の課題を解決するため、上述した出力制御装置と、上記表示部と、上記音声出力部とを備えたことを特徴としている。
【００６３】
上記の構成によれば、上述した出力制御装置を備えるため、出力制御装置で得られた効果と同一の効果を映像音声再生装置で得ることができる。さらに、出力制御装置により制御された出力度で映像出力を行う表示部と、出力制御装置により制御された出力度で音声出力を行う音声出力部とを備えるため、制御された各出力度で映像および音声を自装置から出力可能となるという効果を奏する。
【００６４】
また、本発明に係る出力制御方法は、上記の課題を解決するため、表示部による映像出力および音声出力部による音声出力を制御する出力制御装置の動作モードを設定する第１ステップと、前記動作モードが第１動作モードに設定された場合には、前記動作モードが第２動作モードに設定された場合よりも、前記映像出力の出力度を低下させ、かつ、前記音声出力の出力度を低下させる第２ステップとを備えることを特徴としている。
【００６５】
上記の方法によれば、第１ステップにより、表示部による映像出力および音声出力部による音声出力を制御する出力制御装置の動作モードを設定することができる。
【００６６】
また、動作モードが第１動作モードに設定された場合には、第２ステップにより、動作モードが第２動作モードに設定された場合よりも、前記映像出力の出力度を低下させる。このため、ユーザの周囲の人にとっては、動作モードが第１動作モードに設定された場合には、第２動作モードに設定された場合よりも、表示部において出力される映像を視認しにくくなる。
【００６７】
さらに、動作モードが第１動作モードに設定された場合には、第２ステップにより、動作モードが第２動作モードに設定された場合よりも、前記音声出力の出力度を低下させる。このため、ユーザの周囲の人にとっては、第１動作モードに設定された場合には、第２動作モードに設定された場合よりも、音声出力装置から出力される音声を聞き取りにくくなる。
【００６８】
それゆえ、動作モードが第１動作モードに設定されている場合には、動作モードが第２動作モードに設定された場合よりも、ユーザの周囲の人にとって、映像の視認および音声の聞き取りが困難な状況とできる。
【００６９】
したがって、動作モードを第１動作モードに設定することにより、映像の出力度のみを低下させる出力制御方法や、音声の出力度のみを低下させる出力制御方法よりも、セキュリティーを向上させることができると共に、プライバシーの確保が容易となる。それゆえ、セキュリティーやプライバシーを十分に確保可能な出力制御方法を提供することができるという効果を奏する。
【００７０】
また、本発明に係るプログラムは、以上のように、上記出力制御装置の各手段としてコンピュータを機能させるためのプログラムであることを特徴としている。
【００７１】
したがって、上記プログラムをコンピュータシステムにロードすることによって、上記出力制御装置をユーザに提供することが可能となるという効果を奏する。
【００７２】
また、本発明に係る記録媒体は、以上のように、上記プログラムを記録したコンピュータ読み取り可能な記録媒体であることを特徴としている。
【００７３】
したがって、上記記録媒体に記録されているプログラムをコンピュータシステムにロードすることによって、上記出力制御装置をユーザに提供することが可能となるという効果を奏する。
【発明の効果】
【００７４】
本発明に係る出力制御装置は、以上のように、入力される指示に応じて、自装置の動作モードを設定する動作モード設定手段と、表示部による映像出力の出力度を制御する表示制御手段と、音声出力部による音声出力の出力度を制御する音声制御手段とを備え、前記動作モード設定手段により動作モードが第１動作モードに設定された場合、前記表示制御手段は、動作モードが第２動作モードに設定された場合よりも前記映像出力の出力度を低下させ、前記音声制御手段は、動作モードが第２動作モードに設定された場合よりも前記音声出力の出力度を低下させる構成である。
【００７５】
したがって、セキュリティーやプライバシーを十分に確保可能な出力制御装置を提供することができるという効果を奏する。
【００７６】
また、本発明に係る映像音声再生装置は、以上のように、上述した出力制御装置と、上記表示部と、上記音声出力部とを備えた構成である。
【００７７】
上記の構成によれば、出力制御装置で得られた効果と同一の効果を映像音声再生装置で得ることができる。さらに、制御された各出力度で映像および音声を自装置から出力可能となるという効果を奏する。
【００７８】
また、本発明に係る出力制御方法は、以上のように、表示部による映像出力および音声出力部による音声出力を制御する出力制御装置の動作モードを設定する第１ステップと、前記動作モードが第１動作モードに設定された場合には、前記動作モードが第２動作モードに設定された場合よりも、前記映像出力の出力度を低下させ、かつ、前記音声出力の出力度を低下させる第２ステップとを備える方法である。
【００７９】
したがって、セキュリティーやプライバシーを十分に確保可能な出力制御装置を提供することができるという効果を奏する。
【００８０】
また、本発明に係るプログラムは、以上のように、上記出力制御装置の各手段としてコンピュータを機能させるためのプログラムであることを特徴としている。
【００８１】
したがって、上記プログラムをコンピュータシステムにロードすることによって、上記出力制御装置をユーザに提供することが可能となるという効果を奏する。
【００８２】
また、本発明に係る記録媒体は、以上のように、上記プログラムを記録したコンピュータ読み取り可能な記録媒体であることを特徴としている。
【００８３】
したがって、上記記録媒体に記録されているプログラムをコンピュータシステムにロードすることによって、上記出力制御装置をユーザに提供することが可能となるという効果を奏する。
【発明を実施するための最良の形態】
【００８４】
本発明の一実施形態について図１ないし図２に基づいて説明すると以下の通りである。
【００８５】
図１は、本実施の形態に係る携帯型電話機の概略構成を示した機能ブロック図である。同図に示すとおり、携帯型電話機（映像音声再生装置）１は、アンテナ１１、無線処理部１２、制御部（出力制御装置）１３、第１記憶部１４、第２記憶部１５、表示部１６、音声入力部１７、第１音声出力部１８、第２音声出力部１９、第３音声出力部２０、操作部２１、ＩＦ（Inter Face）（音声出力用接続手段）部２２を備えている。
【００８６】
また、上記制御部１３は、通信制御部３１、動作モード設定部（動作モード設定手段）３２、表示制御部（表示制御手段）３３、および音声制御部（音声制御手段）３４を備えている。さらに、表示制御部３３は、視野角制御部（視野角制御手段）３３ａ、輝度制御部（輝度制御手段）３３ｂ、および、コントラスト制御部（コントラスト制御手段）３３ｃを備えている。また、音声制御部３４は、音量制御部（音量制御手段）３４ａ、指向性制御部（指向性制御手段）３４ｂ、および、サラウンド制御部（サラウンド制御手段）３４ｃを備えている。
【００８７】
なお、第２音声出力部１９および第３音声出力部２０が、特許請求の範囲に記載の音声出力部に該当する。
【００８８】
アンテナ１１は、他の通信機器（他の携帯型電話機、固定電話機、サーバ装置等）と間で無線通信を行ための装置である。
【００８９】
無線処理部１２は、アンテナ１１で受信した無線データに対してデータ処理（無線信号処理）を行うと共に、このデータ処理されたデータを制御部１３に送信する。また、無線処理部１２は、上記制御部１３から送信されるデータに対してデータ処理を行うと共に、そのデータ処理されたデータ（無線データ）を、アンテナ１１を介して、他の通信機器へ出力する。
【００９０】
第１記憶部１４は、ＲＯＭ等の記憶装置で構成されている。この第１記憶部１４には、携帯型電話機１の各処理を実行するためのプログラムが記憶されている。
【００９１】
第２記憶部１５は、フラッシュメモリやＲＡＭ等の書換可能な記憶装置で構成されている。この第２記憶部１５には、ユーザが入力したデータや、データ処理の過程で生成されるデータが記憶される。
【００９２】
表示部１６は、例えば、液晶駆動装置および液晶表示パネルを供えた液晶表示装置で構成される。なお、液晶表示装置に限定されず、有機ＥＬ表示装置等であってもよい。この表示部１６は、制御部１３から出力される映像信号や制御信号に基づき、画像を表示パネルに表示する。
【００９３】
音声入力部１７は、Ａ／Ｄ変換器およびマイクで構成されている。そして、音声入力部１７では、制御部１３から所定の指示を受け付けた場合、マイクで音声を集音し、この集音した音声を上記Ａ／Ｄ変換器により変換する。その後、音声入力部１７は、この変換した音声を、音声データとして制御部１３に送る。
【００９４】
第１音声出力部１８は、Ｄ／Ａ変換器およびイヤホンで構成される。この第１音声出力部１８は、制御部１３の音声制御部３４から出力される音声データに基づき、イヤホンを介して音声を外部に出力する。このため、ユーザのみが該音声を聞くことができる。
【００９５】
第２音声出力部１９は、Ｄ／Ａ変換器およびスピーカで構成される。この第２音声出力部１９は、制御部１３の音声制御部３４から出力される音声データに基づき、スピーカを介して音声を外部に出力する。
【００９６】
第３音声出力部２０は、Ｄ／Ａ変換器およびスピーカで構成される。この第３音声出力部２０は、制御部１３の音声制御部３４から出力される音声データに基づき、音声を外部に出力する。
【００９７】
なお、上記においてスピーカとは、イヤホンと相違し、ユーザが直接耳を当てて使用することを前提としていない装置をいう。また、携帯型電話機１においては、上記イヤホンおよび各スピーカは、図２に示すとおり、表示部１６の表示画面と同一側の面であって、表示画面の近傍に設けられている。なお、このような配置は、一例であって、これに限定されるものではない。
【００９８】
操作部２１は、携帯型電話機１の表面に設けられた複数の操作キーで構成される。この操作キーを用いた入力指令は、一旦、制御部１３に送られる。
【００９９】
ＩＦ部２２は、携帯型電話機１と、少なくともユーザのみが音を聞けるイヤホンを備えた装置（図示せず）とを接続するためのインターフェースである。ＩＦ部２２は、制御部１３の音声制御部３４から出力される音声データをＤ／Ａ変換し、上記装置が接続されている場合には、変換後の音声データを上記イヤホン（以下、外付イヤホンと称する）に送る。これにより、この外付イヤホンから音声が出力される。なお、上記装置としては、例えば、外付イヤホンと、マイク等の音声入力部とを備えた、ハンズフリー通話を実現するハンズフリー装置が挙げられる。
【０１００】
次に、制御部１３について説明する。
【０１０１】
制御部１３は、第１記憶部１４に記憶されたプログラムに従って、携帯型電話機１の各部の各種制御を行うものである。この制御部１３および該制御部１３の各部（３１〜３４）は、以下のような処理を実行する。
【０１０２】
通信制御部３１は、他の通信機器との通信に関する各種制御を行う。この通信制御部３１は、無線処理部１２から出力されたデータを受信する。そして、受信したデータのうち、映像に関するデータ（以下、映像データ）については、表示制御部３３に送り、音声に関するデータ（以下、音声データ）については、音声制御部３４に送る。
【０１０３】
一方、通信制御部３１が、表示制御部３３から映像データ（例えば、図示しない撮影手段で撮影さえた画像データ）を受け付けた場合には、通信制御部３１は、この受け付けた映像データを無線処理部１２に送る。また、通信制御部３１が、音声制御部３４から音声データを受け付けた場合には、通信制御部３１は、この受け付けた音声データを無線処理部１２に送る。
【０１０４】
動作モード設定部３２は、携帯型電話機１の動作モードを設定する。より詳しくは、携帯型電話機１の動作モードを、第１動作モードまたは第２動作モードに設定する。また、ユーザが、操作部２１を介して、携帯型電話機１の電源を投入する指示（電源投入指示）を入力した場合には、動作モード設定部３２は、この電源投入指示を受け付ける。そして、動作モード設定部３２は、動作モードを第１動作モードに設定する。この場合、動作モード設定部３２は、動作モードが第１動作モードであることを示す情報（以下、第１モード情報）を、表示制御部３３および音声制御部３４に送る。
【０１０５】
また、ユーザが、操作部２１を介して、動作モードを第２動作モードに変更する指示（変更指示）を入力した場合には、動作モード設定部３２は、この変更指示を受け付ける。そして、動作モード設定部３２は、動作モードを第２動作モードに変更する。そして、この場合も、動作モード設定部３２は、動作モードが第２動作モードであることを示す情報（以下、第２モード情報）を、表示制御部３３および音声制御部３４に送る。
【０１０６】
表示制御部３３は、表示部１６による映像出力（映像表示）を制御する。また、表示制御部３３は、動作モード設定部３２から、上記第１モード情報および第２モード情報を受け付ける。
【０１０７】
ここで、表示制御部３３内の各部（３３ａ〜３３ｃ）について説明する。
【０１０８】
視野角制御部３３ａは、表示部１６における視野角を制御する。より詳しくは、視野角制御部３３ａは、表示制御部３３が第１モード情報を受け付けた場合、デフォルト状態における設定（広視野角）よりも、表示部１６で表示される映像の視野角を狭く（狭視野角に）設定する。具体的には、視野角制御部３３ａは、視野角を狭くするための制御信号を、表示部１６に送る。そして、表示部１６が、この制御信号を受け付け、上記視野角を狭める。
【０１０９】
一方、視野角制御部３３ａは、表示制御部３３が第２モード情報を受け付けた場合、視野角をデフォルト状態における設定する。例えば、既に視野角が狭められている場合、視野角制御部３３ａは、視野角をデフォルト状態に戻す制御信号を、表示部１６に送る。そして、表示部１６が、この制御信号を受け付け、上記視野角をデフォルト状態に戻す。
【０１１０】
つまり、視野角制御部３３ａは、動作モードが第１動作モードに設定された場合には、動作モードが第２動作モードに設定された場合によりも、上記視野角を狭く設定する。
【０１１１】
輝度制御部３３ｂは、表示部１６における輝度を制御する。より詳しくは、輝度制御部３３ｂは、表示制御部３３が第１モード情報を受け付けた場合、デフォルト状態における設定よりも、表示部１６で表示される映像の輝度を低く設定する。具体的には、輝度制御部３３ｂは、輝度を低くするための制御信号を、表示部１６に送る。そして、表示部１６が、この制御信号を受け付け、上記輝度を低くする。
【０１１２】
一方、輝度制御部３３ｂは、表示制御部３３が第２モード情報を受け付けた場合、輝度をデフォルト状態における設定とする。例えば、既に輝度が低く設定されている場合、輝度制御部３３ｂは、輝度をデフォルト状態に戻す制御信号を、表示部１６に送る。そして、表示部１６が、この制御信号を受け付け、上記輝度をデフォルト状態に戻す。
【０１１３】
つまり、輝度制御部３３ｂは、動作モードが第１動作モードに設定された場合には、動作モードが第２動作モードに設定された場合によりも、上記輝度を低く設定する。
【０１１４】
コントラスト制御部３３ｃは、表示部１６におけるコントラストを制御する。より詳しくは、コントラスト制御部３３ｃは、表示制御部３３が第１モード情報を受け付けた場合、デフォルト状態における設定よりも、表示部１６で表示される映像のコントラストを低く設定する。具体的には、コントラスト制御部３３ｃは、コントラストを低くするための制御信号を、表示部１６に送る。そして、表示部１６が、この制御信号を受け付け、上記コントラストを低くする。
【０１１５】
一方、コントラスト制御部３３ｃは、表示制御部３３が第２モード情報を受け付けた場合には、コントラストをデフォルト状態における設定とする。例えば、既にコントラストが低く設定されている場合、コントラスト制御部３３ｃは、コントラストをデフォルト状態に戻す制御信号を、表示部１６に送る。そして、表示部１６が、この制御信号を受け付け、上記コントラストをデフォルト状態に戻す。
【０１１６】
つまり、コントラスト制御部３３ｃは、動作モードが第１動作モードに設定された場合には、動作モードが第２動作モードに設定された場合によりも、コントラストを低く設定する。
【０１１７】
なお、上記において映像とは、動画像のみならず静止画像も含むものとする。
【０１１８】
音声制御部３４は、第１から第３音声出力部（１８〜２０）による音声出力を制御する。また、音声制御部３４は、動作モード設定部３２から、上記第１モード情報および第２モード情報を受け付ける。
【０１１９】
ここで、音声制御部３４内の各部（３４ａ〜３４ｃ）について説明する。
【０１２０】
音量制御部３４ａは、スピーカを備えた、第２音声出力部１９と第３音声出力部２０から出力される音声の音量を制御する。より詳しくは、音量制御部３４ａは、音声制御部３４が第１モード情報を受け付けた場合、デフォルト状態における設定よりも、音量を小さくする。具体的には、音量制御部３４ａは、音量を小さくするための制御信号を、第２および第３音声出力部（１９・２０）に送る。そして、第２および第３音声出力部（１９・２０）が、この制御信号を受け付け、上記音量を小さくする。
【０１２１】
一方、音量制御部３４ａは、音声制御部３４が第２モード情報を受け付けた場合には、音量をデフォルト状態における設定とする。例えば、既に音量が小さく設定されている場合、音量制御部３４ａは、音量をデフォルト状態に戻す制御信号を、第２および第３音声出力部（１９・２０）に送る。そして、第２および第３音声出力部（１９・２０）が、この制御信号を受け付け、上記音量をデフォルト状態に戻す。
【０１２２】
つまり、音量制御部３４ａは、動作モードが第１動作モードに設定された場合には、動作モードが第２動作モードに設定された場合によりも、音量を小さくする。
【０１２３】
指向性制御部３４ｂは、第２音声出力部１９と第３音声出力部２０から出力される音声の指向性を制御する。より詳しくは、指向性制御部３４ｂは、音声制御部３４が第１モード情報を受け付けた場合、デフォルト状態における設定よりも、指向性を強くする。具体的には、指向性制御部３４ｂは、指向性を強めるための制御信号を、第２および第３音声出力部（１９・２０）に送る。そして、第２および第３音声出力部（１９・２０）が、この制御信号を受け付け、上記指向性を強くする。
【０１２４】
一方、指向性制御部３４ｂは、音声制御部３４が第２モード情報を受け付けた場合には、指向性をデフォルト状態における設定とする。例えば、既に指向性が強く設定されている場合、指向性制御部３４ｂは、指向性をデフォルト状態に戻す制御信号を、第２および第３音声出力部（１９・２０）に送る。そして、第２および第３音声出力部（１９・２０）が、この制御信号を受け付け、上記指向性をデフォルト状態に戻す。
【０１２５】
つまり、指向性制御部３４ｂは、動作モードが第１動作モードに設定された場合には、動作モードが第２動作モードに設定された場合によりも、指向性を強くする。このため、音声の可聴範囲は、第１動作モードの方が第２動作モードよりも、狭くなる。
【０１２６】
なお、上記指向性の強弱を制御して、可聴範囲の広狭の制御を行う場合には、低い周波数の音声ほど指向性が弱く、高い周波数の音声ほど指向性が強いといった音声（音波）の特性を利用すればよい。例えば、指向性を強くして、可聴範囲を狭める場合には、低い周波数の音声をカットするために、広域通過フィルタを用いたり、あるいは、人の声の周波数帯の音のみを通過させる帯域制限フィルタ等を用いればよい。
【０１２７】
サラウンド制御部３４ｃは、第２音声出力部１９と第３音声出力部２０から出力される音声をサラウンド状態として（つまり、バーチャルサラウンド機能を用いて）出力するか否かを制御する。より詳しくは、サラウンド制御部３４ｃは、音声制御部３４が第１モード情報を受け付けている場合には、サラウンド制御部３４ｃは、サラウンド状態で音声が出力されないようにする。具体的には、サラウンド制御部３４ｃは、サラウンド状態での出力を停止するための制御信号を、第２および第３音声出力部（１９・２０）に送る。そして、第２および第３音声出力部（１９・２０）が、この制御信号を受け付け、上記サラウンド状態での出力を停止する。
【０１２８】
一方、サラウンド制御部３４ｃは、音声制御部３４が第２モード情報を受け付けている場合には、サラウンド状態で音声が出力されるようにする。例えば、既にサラウンド状態での出力が停止されている場合、サラウンド制御部３４ｃは、サラウンド状態で出力を行うための制御信号を、第２および第３音声出力部（１９・２０）に送る。そして、第２および第３音声出力部（１９・２０）が、この制御信号を受け付け、上記サラウンド状態で出力を行う。
【０１２９】
つまり、サラウンド制御部３４ｃは、動作モードが第１動作モードに設定された場合には、動作モードが第２動作モードに設定された場合によりも、音声の奥行き感を、人が感じられないようにする。
【０１３０】
なお、上記において音声とは、音波であって、人の声に基づいた音に限定されるものではない。
【０１３１】
ここで、以下では、視野角の大小（広狭）、輝度の高低、コントラストの高低といった視認性の良否に影響を与える要素の度合いを、映像出力の出力度とする。また、視野角を小さくするとか、輝度を低くするとか、コントラストを低くするといった、表示部１６における視認性が低下した状態にすることを、映像出力の出力度を低下させるという。さらに、出力する音声の音量の大小、音声の出力の有無、可聴範囲の大小、サラウンド出力の有無といった聞きやすさに影響を与える要素の度合いを、音声出力の出力度とする。また、音量を小さくするとか、音声の出力を停止するとか、可聴範囲を狭めるとか、サラウンド出力を停止するとかといった、第２および第３音声出力部（１９・２０）から出力される音声が聞きにくくなる状態にすることを、音声出力の出力度を低下させるという。
【０１３２】
上記のように定義すると、携帯型電話機１は、入力される指示に応じて、自装置の動作モードを設定する動作モード設定部（動作モード設定手段）３２と、表示部１６による映像出力の出力度を制御する表示制御部（表示制御手段）３３と、第２および第３音声出力部（１９・２０）による音声出力の出力度を制御する音声制御部（音声制御手段）３４とを備え、上記動作モード設定部３２により動作モードが第１動作モードに設定された場合、表示制御部３３は、動作モードが第２動作モードに設定された場合よりも上記映像出力の出力度を低下させ、音声制御部３４は、動作モードが第２動作モードに設定された場合よりも上記音声出力の出力度を低下させる構成であるといえる。
【０１３３】
この構成によれば、動作モード設定部３２により、携帯型電話機１を、入力される指示に応じた動作モードに設定することができる。また、表示制御部３３により、表示部１６による映像出力の出力度を制御することができる。さらに、音声制御部３４により、第２および第３音声出力部（１９・２０）による音声出力の出力度を制御することができる。
【０１３４】
また、表示制御部３３は、動作モードが第１動作モードに設定された場合には、動作モードが第２動作モードに設定された場合よりも、上記映像出力の出力度を低下させる。このため、ユーザの周囲の人にとっては、動作モードが第１動作モードに設定された場合には、第２動作モードに設定された場合よりも、表示部１６から出力される映像を視認しにくくなる。
【０１３５】
さらに、音声制御部３４は、動作モードが第１動作モードに設定された場合には、動作モードが第２動作モードに設定された場合よりも、上記音声出力の出力度を低下させる。このため、ユーザの周囲の人にとっては、第１動作モードに設定された場合には、第２動作モードに設定された場合よりも、第２および第３音声出力部（１９・２０）から出力される音声を聞き取りにくくなる。
【０１３６】
それゆえ、第１動作モードを指定する指示を動作モード設定部３２に入力して、動作モードを第１動作モードに設定することにより、動作モードが第２動作モードに設定された場合よりも、ユーザの周囲の人にとって、映像の視認および音声の聞き取りが困難な状況とできる。
【０１３７】
したがって、動作モードを第１動作モードに設定することにより、映像の出力度のみを低下させる構成の装置や、音声の出力度のみを低下させる構成の装置よりも、セキュリティーを向上させることができると共に、プライバシーの確保が容易となる。それゆえ、セキュリティーやプライバシーを十分に確保可能となる。
【０１３８】
さらに、携帯型電話機１は、表示部１６および第２および第３音声出力部（１９・２０）を備えているため、制御された各出力度で映像および音声を自装置から出力することができる。
【０１３９】
このように、第１動作モードの場合には、第２動作モードの場合よりも、少なくともセキュリティーを確保可能となるため、第２動作モードを通常の動作モード（ノーマルモード）とすると、第１動作モードはセキュリティーを確保するモード（セキュリティーモード）と称することもできる。
【０１４０】
また、携帯型電話機１は、以上のように、表示制御部３３が、表示部１６における視野角を制御する視野角制御部３３ａを備えており、視野角制御部３３ａが、動作モードが第１動作モードに設定されている場合には、動作モードが第２動作モードに設定された場合よりも視野角を狭くする構成であるといえる。
【０１４１】
この構成によれば、視野角制御部３３ａにより、動作モードが第１動作モードに設定されている場合には、動作モードが第２動作モードに設定された場合よりも、視野角が狭められる。つまり、上述した映像出力の出力度を低下させた状態とすることができる。したがって、この場合、表示部１６において出力される映像を、ユーザの周囲の人が視認しにくい状況とできる。
【０１４２】
また、携帯型電話機１は、以上のように、表示制御部３３が、表示部１６において表示される映像の輝度を制御する輝度制御部３３ｂを備えており、輝度制御部３３ｂが、動作モードが第１動作モードに設定されている場合には、動作モードが第２動作モードに設定された場合よりも上記輝度を低くする構成であるといえる。
【０１４３】
この構成によれば、輝度制御部３３ｂにより、動作モードが第１動作モードに設定されている場合には、動作モードが第２動作モードに設定された場合よりも、表示部１６において表示される映像の輝度が低く設定される。つまり、映像出力の出力度を低下させた状態とすることができる。したがって、この場合、表示部１６において出力される映像を、ユーザの周囲の人が視認しにくい状況とできる。
【０１４４】
また、携帯型電話機１は、以上のように、表示制御部３３が、表示部１６において表示される映像のコントラストを制御するコントラスト制御部３３ｃを備えており、コントラスト制御部３３ｃが、動作モードが第１動作モードに設定されている場合には、動作モードが第２動作モードに設定された場合よりも、上記コントラストを低くする構成であるといえる。
【０１４５】
この構成によれば、コントラスト制御部３３ｃにより、動作モードが第１動作モードに設定されている場合には、動作モードが第２動作モードに設定された場合よりも、表示部１６において表示される映像のコントラストが低く設定される。つまり、映像出力の出力度を低下させた状態とすることができる。したがって、この場合、表示部１６において出力される映像を、ユーザの周囲の人が視認しにくい状況とできる。
【０１４６】
さらに、携帯型電話機１は、以上のように、音声制御部３４が、第２および第３音声出力部（１９・２０）により出力される音声の音量を制御する音量制御部３４ａを備えており、音量制御部３４ａが、動作モードが第１動作モードに設定されている場合には、動作モードが第２動作モードに設定された場合よりも、上記音声の音量を小さくする構成であるといえる。
【０１４７】
この構成によれば、音量制御部３４ａにより、動作モードが第１動作モードに設定されている場合には、動作モードが第２動作モードに設定された場合よりも、上記音声の音量が小さく設定される。つまり、音声出力の出力度を低下させた状態とすることができる。したがって、この場合、音声出力装置から出力される音声を、ユーザの周囲の人が聞き取りにくい状況とできる。
【０１４８】
また、携帯型電話機１は、以上のように、音声制御部３４が、第２および第３音声出力部（１９・２０）により出力される音声の指向性の強弱を制御する指向性制御部３４ｂを備えており、指向性制御部３４ｂが、動作モードが第１動作モードに設定されている場合には、動作モードが第２動作モードに設定された場合よりも、上記指向性を強くすること構成であるといえる。
【０１４９】
この構成によれば、指向性制御部３４ｂにより、動作モードが第１動作モードに設定されている場合には、動作モードが第２動作モードに設定された場合よりも、第２および第３音声出力部（１９・２０）により出力される音声の指向性が強められる。それゆえ、音声の可聴範囲が狭められる。つまり、音声出力の出力度を低下させた状態とすることができる。したがって、この場合、音声出力装置から出力される音声を、ユーザの周囲の人が聞き取りにくい状況とできる。
【０１５０】
また、携帯型電話機１は、以上のように、音声制御部３４が、第２および第３音声出力部（１９・２０）からサラウンド状態で音声出力を行わせるか否かを制御するサラウンド制御部３４ｃを備えており、サラウンド制御部３４ｃが、動作モードが第１動作モードに設定されている場合には、第２および第３音声出力部（１９・２０）からサラウンド状態で音声出力を行わせない構成であるといえる。
【０１５１】
この構成によれば、サラウンド制御部３４ｃにより、動作モードが第１動作モードに設定されている場合には、サラウンド状態で音声出力（奥行き感のある音声出力）が行われることがない。つまり、音声出力の出力度を低下させた状態とすることができる。したがって、この場合、音声出力装置から出力される音声を、ユーザの周囲の人が聞き取りにくい状況とできる。
【０１５２】
ところで、上記の説明においては、表示制御部３３が、視野角制御部３３ａ、輝度制御部３３ｂ、およびコントラスト制御部３３ｃを備えた構成を示したが、これに限定されるものではない。つまり、携帯型電話機１の構成を、少なくとも、表示制御部３３が、視野角制御部３３ａ、輝度制御部３３ｂ、およびコントラスト制御部３３ｃのうち、少なくとも一つを備える構成としてもよい。
【０１５３】
また、上記の説明においては、音声制御部３４が、音量制御部３４ａ、指向性制御部３４ｂ、およびサラウンド制御部３４ｃを備えた構成を示したが、これに限定されるものではない。つまり、携帯型電話機１の構成を、少なくとも、音声制御部３４が、音量制御部３４ａ、指向性制御部３４ｂ、およびサラウンド制御部３４ｃのうち、少なくとも一つを備える構成としてもよい。
【０１５４】
図３は、表示制御部３３が視野角制御部３３ａを備え、音声制御部３４が音量制御部３４ａを備えた場合において、動作モードを第１動作モードとした場合の携帯型電話機１の斜視図である。また、図４は、上記の場合において、動作モードを第２動作モードとした場合の携帯型電話機１の斜視図である。
【０１５５】
携帯型電話機１では、図３および図４に示すとおり、第１動作モードの方が第２動作モードの場合によりも、視野角が狭く設定され（つまり、Ｂ方向からは表示画面の表示内容が確認できなくなり）、かつ、第２および第３音声出力部（１９・２０）の各スピーカから出力される音声の音量が小さく設定される。
【０１５６】
また、携帯型電話機１においては、携帯型電話機１の電源が投入された場合、動作モード設定部３２が、携帯型電話機１の動作モードを第１の動作モードに設定することが好ましい。
【０１５７】
この構成によれば、携帯型電話機１の電源が投入された場合、動作モード設定部３２により、携帯型電話機１の動作モードが第１の動作モードに設定されるため、ユーザは、携帯型電話機１の電源投入の都度、動作モードを第１動作モードに設定する必要がない。したがって、ユーザが動作モードを設定することなく、セキュリティーやプライバシーを確保可能な動作モードに携帯型電話機１を設定できる。
【０１５８】
次に、動作モードの設定処理に関して、図５に基づいて説明する。なお、以下では、上述したように、携帯型電話機１の電源投入時に、動作モードが第１動作モードに設定される構成を例に挙げて説明する。
【０１５９】
同図に示すとおり、携帯型電話機１の電源が投入されると、動作モード設定部３２が、携帯型電話機１の動作モードを第１動作モードに設定する（Ｓ１）。Ｓ１の後は、動作モード設定部３２により、操作部２１を介してユーザから動作モードを第２動作モードに設定する指示を受け付けたか否かが判断される（Ｓ２）。Ｓ２において、上記動作モードを第２動作モードに設定する指示を受け付けた場合、動作モード設定部３２は、動作モードを第２動作モードに設定する（Ｓ３）。一方、Ｓ２において、上記動作モードを第２動作モードに設定する指示を受け付けていない場合、再度、Ｓ２に戻る。
【０１６０】
Ｓ３の後は、動作モード設定部３２により、操作部２１を介してユーザから動作モードを第１動作モードに設定する指示を受け付けたか否かが判断される（Ｓ４）。そして、Ｓ４において、上記動作モードを第１動作モードに設定する指示を受け付けた場合、Ｓ１に戻る。一方、Ｓ４において、上記動作モードを第１動作モードに設定する指示を受け付けていない場合、再度、Ｓ４に戻る。
【０１６１】
なお、上記Ｓ１〜Ｓ４における処理は、携帯型電話機１の電源が切られるまで、繰り返して行われる。
【０１６２】
ここで、動作モードが第１動作モードに設定された場合の、表示制御部３３および音声制御部３４の各部における処理のフローについて、図６に基づいて説明する。
【０１６３】
まず、視野角制御部３３ａが、動作モードが第２動作モードに設定された場合によりも、上記視野角を狭く設定する（Ｓ１１）。Ｓ１１の後は、輝度制御部３３ｂが、動作モードが第２動作モードに設定された場合によりも、上記輝度を低く設定する（Ｓ１２）。そして、Ｓ１２の後は、コントラスト制御部３３ｃが、動作モードが第２動作モードに設定された場合によりも、コントラストを低く設定する（Ｓ１３）。
【０１６４】
さらに、Ｓ１３の後は、音量制御部３４ａが、動作モードが第２動作モードに設定された場合によりも、音量を小さくする（Ｓ１４）。そして、Ｓ１４の後は、指向性制御部３４ｂが、動作モードが第２動作モードに設定された場合によりも、指向性を強くする（Ｓ１５）。さらに、Ｓ１５の後は、サラウンド制御部３４ｃが、サラウンド状態での出力を停止する（Ｓ１６）。
【０１６５】
以上により、表示制御部３３の各部（３３ａ〜３３ｃ）による処理が終了する。なお、Ｓ１１からＳ１６における処理の順序は、上記に限定されるものではなく、どのような順序でも構わない。
【０１６６】
次に、動作モードが第２動作モードに設定された場合の、表示制御部３３および音声制御部３４の各部における処理のフローについて、図７に基づいて説明する。
【０１６７】
まず、視野角制御部３３ａが、動作モードが第１動作モードに設定された場合によりも、上記視野角を広く設定する（Ｓ２１）。つまり、視野角をデフォルト状態における設定とする。Ｓ２１の後は、輝度制御部３３ｂが、動作モードが第１動作モードに設定された場合によりも、上記輝度を高く設定する（Ｓ２２）。つまり、輝度をデフォルト状態における設定とする。そして、Ｓ２２の後は、コントラスト制御部３３ｃが、動作モードが第１動作モードに設定された場合によりも、コントラストを高く設定する（Ｓ２３）。つまり、コントラストをデフォルト状態における設定とする。
【０１６８】
さらに、Ｓ２３の後は、音量制御部３４ａが、動作モードが第１動作モードに設定された場合によりも、音量を大きくする（Ｓ２４）。つまり、音量を、デフォルト状態における設定とする。そして、Ｓ２４の後は、指向性制御部３４ｂが、動作モードが第１動作モードに設定された場合によりも、指向性を弱くする（Ｓ２５）。つまり、指向性を、デフォルト状態における設定とする。さらに、Ｓ２５の後は、サラウンド制御部３４ｃが、サラウンド状態での出力の停止を解除する（Ｓ２６）。
【０１６９】
以上により、一連の処理が終了する。
【０１７０】
ところで、上述した携帯型電話機１においては、動作モードを第１動作モードに設定した場合には、音量制御部３４ａにより、動作モードが第２動作モードに設定された場合によりも、音量を小さく設定したが、これに限定されるものではない。例えば、音量制御部３４ａの代わりに、第２および第３音声出力部（１９・２０）による音声出力を停止する音声出力停止部（音声出力停止手段）を表示制御部３３に備えておき、この音声出力停止部が、動作モードが第１動作モードに設定されている場合には、前記音声の出力を停止する構成としてもよい。
【０１７１】
この構成では、上記音量出力停止部により、動作モードが第１動作モードに設定されている場合には、音声の出力を停止させることができる。つまり、音声出力の出力度を低下させた状態とすることができる。したがって、この場合には、第２および第３音声出力部（１９・２０）から出力される音声を、ユーザの周囲の人が聞き取れなくなる状況とできる。
【０１７２】
また、携帯型電話機１の構成を、動作モードが第１動作モードに設定された場合のみ、ＩＦ部２２を機能させる構成としてもよい。つまり、動作モードが第１動作モードに設定されている場合であって、かつ、図８に示すとおり、上述した外付イヤホンがＩＦ部２２に接続されている場合にのみ、第２および第３音声出力部（１９・２０）と共に、または、第２および第３音声出力部（１９・２０）に代わりに、音声制御部３４が、ＩＦ部２２を介して、この外部イヤホンから上記音声出力を行わせる構成としてもよい。
【０１７３】
この構成によれば、ＩＦ部２２により、携帯型電話機１を外付イヤホンと接続することができる。また、動作モードが第１動作モードに設定されている場合であって、かつ、外付イヤホンがＩＦ部２２に接続されている場合には、音声制御部３４により、ＩＦ部２２を介して、外付イヤホンから音声出力を行わせることができる。したがって、上記スピーカから音声の出力が停止している場合、または、スピーカからの出力される音声の音量が小さくて、該音声をユーザが聞き取りにくい場合であっても、ユーザは、外付イヤホンから上記音声を確実に聞き取ることが可能となる。
【０１７４】
なお、図８は、視野角制御部３３ａにより、視野角がデフォルト状態よりも狭められた状態（狭視野角の状態）を示している。
【０１７５】
また、携帯型電話機１の構成を以下のようにしてもよい。つまり、動作モードが第１動作モードに設定されている場合、第２および第３音声出力部（１９・２０）と共に、または、第２および第３音声出力部（１９・２０）に代わりに、音声制御部３４が、第１音声出力部１８のイヤホンから音声出力を行わせる構成としてもよい。
【０１７６】
この構成によれば、動作モードが第１動作モードに設定されている場合、音声制御部３４により、第１音声出力部１８のイヤホンから音声出力を行うことができる。したがって、第２および第３音声出力部（１９・２０）の各スピーカの出力が停止している場合、または、上記各スピーカからの出力される音声の音量が小さくて、該音声をユーザが聞き取りにくい場合であっても、ユーザは、第１音声出力部１８のイヤホンから上記音声を確実に聞き取ることが可能となる。
【０１７７】
また、上記動作モードが第１動作モードに設定された場合、音声制御部３４が、ＩＦ部２２を介して、前記イヤホンから音声出力を行わせると共に、第１音声出力部１８のイヤホンから音声出力を行わせる構成としてもよい。
【０１７８】
また、携帯型電話機１の構成を以下のようにしてもよい。つまり、動作モードが第１動作モードに設定されている場合であって、かつ、他の通信機器（他の装置）から送られてくるデータを受信した場合には、表示制御部３３が、上記他の通信機器を特定する内容（例えば、電話番号やメールアドレス等）および／または上記他の通信機器の利用者を特定する内容（例えば、氏名（発信者名）等）についての、表示部１６からの出力を停止させる構成とすることが好ましい。
【０１７９】
この構成の場合には、動作モードを第１動作モードに設定しておけば、上記の内容が表示されないため、ユーザの周囲の人に、データ送信元の装置および／またはデータ送信者を特定されることはなくなる。
【０１８０】
なお、図９は、視野角制御部３３ａにより、視野角がデフォルト状態よりも狭められた状態（狭視野角の状態）であって、かつ、上記内容のうち発信者名を＊印として表示して、該発信者名を人が判別できないようにした例を示している。
【０１８１】
ここで、上記データを受信した場合における携帯型電話機１での処理のフローについて、図１０に基づいて説明する。なお、以下では、上記データの受信を電話の着信とし、かつ、電話番号と、各電話番号に対して予め登録された氏名との出力を停止する構成について説明する。なお、図１０に示す処理は、図５に示した一連の処理を行っている際に、割り込んで行われる処理（割込処理）を示している。
【０１８２】
まず、他の通信装置から電話の着信があった場合、動作モード設定部３２が、動作モードが第１モードであるか否かを判定する（Ｓ３１）。Ｓ３１において、動作モードが第１動作モードであると判定された場合、表示制御部３３は、表示部１６における電話番号および氏名の表示（出力）を取り止める（Ｓ３２）。一方、Ｓ３１において、動作モードが第１動作モードではないと判定された場合（つまり、動作モードが第２動作モードである場合）、表示制御部３３は、表示部１６における電話番号および氏名の表示を行わせる（Ｓ３３）。以上により、一連の処理が終了する。
【０１８３】
また、表示制御部３３が、少なくとも視野角制御部３３ａを備え、音声制御部３４が、少なくとも指向性制御部３４ｂを備えている場合には、携帯型電話機の構成を以下のような構成にすることが好ましい。なお、以下では、表示部１６が、矩形状の表示画面を有しているものとする。さらに、図１１に示すとおり、表示画面の法線および該表示画面の一辺（同図では辺Ｌ）に垂直となる方向であって、互いに反対方向となる方向を、Ｘ方向（第１方向）とＸ′方向（第２方向）とする。
【０１８４】
まず、視野角制御部３３ａの構成を、動作モードが第１動作モードに設定されている場合には、動作モードが第２動作モードに設定された場合よりも、上記Ｘ方向およびＸ′方向に関する視野角を狭める構成とする。さらに、指向性制御部３４ｂの構成を、動作モードが第１動作モードに設定されている場合には、動作モードが第２動作モードに設定された場合よりも、上記Ｘ方向およびＸ′方向に関する指向性を弱める構成とする。
【０１８５】
上記のような構成とすれば、指向性制御部３４ｂにより、動作モードが第１動作モードに設定されている場合には、動作モードが第２動作モードに設定された場合よりも、Ｘ方向およびＸ′方向に関する指向性を弱くすることができる。つまり、上記法線の方向（ユーザ方向）に関する指向性を強めることができる。それゆえ、Ｘ方向およびＸ′方向に関する、音声の可聴範囲が狭められる。つまり、Ｘ方向およびＸ′方向に関する、音声出力の出力度を低下させた状態とすることができる。したがって、第２および第３音声出力部（１９・２０）から出力される音声を、ユーザの周囲の人が聞き取りにくくできる。
【０１８６】
さらに、動作モードが第１動作モードに設定されている場合には、動作モードが第２動作モードに設定された場合よりも、上記Ｘ方向およびＸ′方向に関する視野角が狭められるため、視野角と可聴範囲とが連動して、互いに同方向に狭められる。したがって、視野角と可聴範囲とが同方向に狭められない構成よりも、セキュリティーを向上させることができると共に、プライバシーの確保が容易となる。それゆえ、セキュリティーやプライバシーを十分に確保可能となる。
【０１８７】
なお、視野角制御部３３ａが、同図に示すとおり、Ｘ方向およびＸ′方向と垂直となる、Ｙ方向（第１方向）とＹ′方向（第２方向）とに関する視野角を制御し、かつ、指向性制御部３４ｂが、第１動作モードの場合には、このＹ方向およびＹ′方向に関する指向性を弱める（つまり、上記法線の方向に関する指向性を強める）構成としてもよい。
【０１８８】
また、上記の実施形態においては、スピーカを備えた音声出力部として、２つの音声出力部（１９・２０）を備えた構成を示したが、これに限定されるものではない。例えば、図１２に示すとおり、表示部１６の表示画面の裏面側にスピーカを備えた音声出力部を、例えば２つ備えた構成としてもよい。この場合には、動作モードが第１動作モードに設定された場合、裏面のスピーカからの出力される音声の音量を小さくしたり、音声の出力を停止する構成とすればよい。また、このようなスピーカの位置は表示画面の裏面に限定されず、例えば、操作部２１の操作機キーの裏面であってもよい。
【０１８９】
また、第２および第３音声出力部（１９・２０）の各スピーカに関しても、上記操作キーが配された操作面と同一面であって、操作キーの近傍に設けられていてもよい。
【０１９０】
さらに、動作モードが第１動作モードに設定された場合には、音声制御部が、例えば、複数のスピーカのうち、所定のスピーカからのみ音声を出力させる構成としてもよい。
【０１９１】
また、視野角の制御に関しては、上記ＸおよびＸ′方向と、上記Ｙ方向およびＹ′方向とに関する視野角（つまり、上下左右方向に関する視野角）が制御される構成としても良いし、上述したように、上記ＸおよびＸ′方向に関する視野角、または、上記Ｙ方向およびＹ′方向とに関する視野角が制御される構成としてもよい。
【０１９２】
また、上記においては、映像音声再生装置として、携帯型電話機を例に挙げて説明したが、これに限定されるものではない。映像音声出力装置としては、例えば、ＰＤＡ、ノート型パーソナルコンピュータ等の様々な装置が挙げられる。また、携帯型の装置に限らず、据え置き型の装置であってもよい。
【０１９３】
また、上記制御部１３を少なくとも備えた装置であれば、表示部１６に相当する表示部や、第２および第３音声出力部（１９・２０）に相当する音声出力部を外部接続することにより、上述した携帯型電話機１で得られる効果と同様な効果を得ることができる。
【０１９４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１９５】
なお、上記実施形態の携帯型電話機１の制御部１３の各部や各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の携帯型電話機１の制御部１３の各種機能および各種処理を実現することができる。また、上記プログラムをリムーバブルな記録媒体に記録することにより、任意のコンピュータ上で上記の各種機能および各種処理を実現することができる。
【０１９６】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１９７】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１９８】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０１９９】
また、インターネットを含む通信ネットワークを接続可能なシステム構成であれば、通信ネットワークからプログラムをダウンロードするように流動的にプログラムを担持する記録媒体であることが好ましい。
【０２００】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０２０１】
映像および音声を出力する様々な装置に適用可能である。
【図面の簡単な説明】
【０２０２】
【図１】本発明の実施の形態に係る携帯型電話機の概略構成を示した機能ブロック図である。
【図２】上記携帯型電話機の正面図である。
【図３】動作モードが第１動作モードである場合における、携帯型電話機の斜視図である。
【図４】動作モードが第２動作モードである場合における、携帯型電話機の斜視図である。
【図５】上記携帯型電話機における動作モードの設定処理のフローを示したフローチャートである。
【図６】動作モードが第１動作モードに設定された場合における、上記携帯型電話機での処理フローを示したフローチャートである。
【図７】動作モードが第２動作モードに設定された場合における、上記携帯型電話機での処理フローを示したフローチャートである。
【図８】外付イヤホンを接続した場合における、上記携帯型電話機の正面図である。
【図９】動作モードが第１動作モードに設定されている場合であって、かつ、他の通信機器から送られてくるデータを受信した場合において、上記携帯型電話機の表示画面に表示される内容を示した図である。
【図１０】電話が着信した場合における、上記携帯型電話機における処理フローを示したフローチャートである。
【図１１】上記表示画面における視野角の制御方向を説明するための図である。
【図１２】上記表示画面の裏面にスピーカを備えた構成の携帯型電話機の斜視図である。
【図１３】広視野角モードと狭視野角モードとにおける、視野角とコントラストとの関係を示したグラフである。
【図１４】従来の携帯型電話機の斜視図である。
【図１５】図１４の携帯型電話機の概略構成を示す機能ブロック図である。
【符号の説明】
【０２０３】
１  携帯型電話機（映像音声再生装置）
１３  制御部（出力制御装置）
１６  表示部
１８  第１音声出力部
１９  第２音声出力部（音声出力部）
２０  第３音声出力部（音声出力部）
２１  操作部
２２  ＩＦ部（音声出力用接続手段）
３１  通信制御部
３２  動作モード設定部（動作モード設定手段）
３３  表示制御部（表示制御手段）
３３ａ  視野角制御部（視野角制御手段）
３３ｂ  輝度制御部（輝度制御手段）
３３ｃ  コントラスト制御部（コントラスト制御手段）
３４  音声制御部（音声制御手段）
３４ａ  音量制御部（音量制御手段）
３４ｂ  指向性制御部（指向性制御手段）
３４ｃ  サラウンド制御部（サラウンド制御手段）
【図１】
2006303732.tif 000003
【図２】
2006303732.tif 000004
【図３】
2006303732.tif 000005
【図４】
2006303732.tif 000006
【図５】
2006303732.tif 000007
【図６】
2006303732.tif 000008
【図７】
2006303732.tif 000009
【図８】
2006303732.tif 000010
【図９】
2006303732.tif 000011
【図１０】
2006303732.tif 000012
【図１１】
2006303732.tif 000013
【図１２】
2006303732.tif 000014
【図１３】
2006303732.tif 000015
【図１４】
2006303732.tif 000016
【図１５】
2006303732.tif 000017